(57)【要約】【課題】不使用時に水の浸入や虫類などの入り込みを効果的に防止することができるとともに、不使用時における収納床面積の省スペース化を図ることのできるシューズを得る。【解決手段】一対のシューズ本体６のそれぞれの足挿入口部７，７の開口縁部１０，１０に互いに係合し合う凸部１１及び凹部１２を備えたシューズ。開口縁部１０，１０を重ね合わせることで凸部１１と凹部１２とが係合してずれを防ぎ、足挿入口部７，７を閉止状態に保つ。これにて、足挿入口部７，７から水が浸入したり、虫類が入り込むことが防止される。【選択図】図１
2010158323.tif 000002
【特許請求の範囲】
【請求項１】
一対のシューズ本体のそれぞれの足挿入口部に互いに係合し合う係合部を備え、該係合部が互いに係合することでそれぞれの足挿入口部が閉止状態を保つこと、を特徴とするシューズ。
【請求項２】
前記足挿入口部は互いにほぼ同形状の開口縁部を有し、該開口縁部に互いに係合し合う係合部が形成されており、前記開口縁部を対向させることで前記係合部が互いに係合し、それぞれの足挿入口部が閉止状態を保つこと、を特徴とする請求項１に記載のシューズ。
【請求項３】
前記開口縁部に足の指を引っ掛けるための開口部が形成されていることを特徴とする請求項２に記載のシューズ。
【請求項４】
前記足挿入口部は互いに係合し合う筒状部からなり、一方の足挿入口部を他方の足挿入口部に挿入することでそれぞれの足挿入口部が閉止状態を保つこと、を特徴とする請求項１に記載のシューズ。
【請求項５】
前記足挿入口部の開口縁部に該開口縁部を拡径又は縮径させるための切欠き、スリット又は折込みが形成されていることを特徴とする請求項４に記載のシューズ。
【請求項６】
前記一対のシューズ本体は、それぞれの係合部を係合させて重ね合わせたとき、一方のシューズ本体の底面と他方のシューズ本体の底面とがほぼ平行になること、を特徴とする請求項１ないし請求項５のいずれかに記載のシューズ。
【発明の詳細な説明】
【技術分野】
【０００１】
本発明は、シューズ、特に、バスルームシューズやガーデンシューズなどゆとりのあるルーズシューズに関する。
【背景技術】
【０００２】
近年、住宅環境の洋風化に伴ってバスルームシューズやガーデンシューズなどが広く使用されている。しかし、使用しないで置いておくとシューズ内に水が浸入したり、ナメクジ、ムカデなどが入り込むおそれがある。また、不使用時の収納に関して、一足のシューズをそれぞれ床面に置くため、収納床面積がどうしても広くなってしまう。
【０００３】
このようなシューズの分野において、水の浸入や虫類などの入り込みを防止する対策に関して、株式会社プロパティを通じて特許文献の先行技術調査を行ったが該当するものを発見することはできなかった。
【発明の概要】
【発明が解決しようとする課題】
【０００４】
本発明の目的は、不使用時に水の浸入や虫類などの入り込みを効果的に防止することができるとともに、不使用時における収納床面積の省スペース化を図ることのできるシューズを提供することにある。
【課題を解決するための手段】
【０００５】
前記目的を達成するため、本発明に係るシューズは、一対のシューズ本体のそれぞれの足挿入口部に互いに係合し合う係合部を備え、該係合部が互いに係合することでそれぞれの足挿入口部が閉止状態を保つこと、を特徴とする。
【０００６】
本発明に係るシューズにおいては、一対のシューズ本体の係合部を互いに係合させることで、一対のシューズが重なり合い、それぞれの足挿入口部が閉止状態を保つため、足挿入口部から水が浸入したり、ナメクジやムカデなどの虫類が入り込むことが防止される。また、一対のシューズは不使用時には重ね合わせられるので、収納時の床面積は１／２になる。
【０００７】
本発明に係るシューズにおいて、前記足挿入口部は互いにほぼ同形状の開口縁部を有し、該開口縁部に互いに係合し合う係合部が形成されていてもよい。係合部が互いに係合し合うことにより、開口縁部がずれたりすることなく密着状態を保つことになる。
【０００８】
また、前記開口縁部に足の指を引っ掛けるための開口部が形成されていてもよい。一方のシューズの開口部に足の指を引っ掛けて開口縁部を他方のシューズの開口縁部に重ね合わすことで、屈んだりすることなく、楽な姿勢で開口縁部を重ね合わすことができる。逆の動作によって上側のシューズを下側のシューズから外すこともできる。
【０００９】
また、前記足挿入口部は互いに係合し合う筒状部で構成されていてもよい。一方の足挿入口部を他方の足挿入口部に挿入することにより、それぞれの足挿入口部が閉止状態を保つことになる。この場合、足挿入口部の開口縁部に該開口縁部を拡径又は縮径させるための切欠きが形成されていれば、筒状部の挿入が容易になる。
【００１０】
また、本発明に係るシューズにおいて、前記一対のシューズ本体は、それぞれの係合部を係合させて重ね合わせたとき、一方のシューズ本体の底面と他方のシューズ本体の底面とがほぼ平行になることが好ましい。一組のシューズの上にさらに一組のシューズを積み重ねることができ、このように収納すれば、収納時の床面積は大きく省スペース化される。シューズの底面どうしが向かい合い、底面が足挿入口部に接することがないので衛生的でもある。
【発明の効果】
【００１１】
本発明によれば、不使用時において足挿入口部は閉じ状態を保持されるため、水の浸入や虫類が入り込むことがなく、また、重ねて収納されるために収納時の床面積が少なくて済む。
【図面の簡単な説明】
【００１２】
【図１】本発明に係るシューズの第１実施例を示し、（Ａ）は正面図、（Ｂ）は平面図、（Ｃ）は側面図である。
【図２】図１に示したシューズの収納状態を示す側面図である。
【図３】図１に示した２足のシューズを積み重ねて収容した状態を示す側面図である。
【図４】本発明に係るシューズの第２実施例を示し、（Ａ）は正面図、（Ｂ）は平面図、（Ｃ）は側面図である。
【図５】図４に示したシューズの収納状態を示す側面図である。
【図６】本発明に係るシューズの第３実施例を示し、（Ａ）は正面図、（Ｂ）は平面図、（Ｃ）は側面図である。
【図７】図６に示したシューズの収納状態を示す側面図である。
【発明を実施するための形態】
【００１３】
以下、本発明に係るシューズの実施例について添付図面を参照して説明する。
【００１４】
（第１実施例、図１及び図２参照）
第１実施例である一対のバスルームシューズ５，５は、図１に示すように、プラスチック製の左右同形状をなし、シューズ本体６と足挿入口部７とで構成されている。足挿入口部７の上端は板状の開口縁部１０とされている。
【００１５】
開口縁部１０は、その表面が平坦で、凸部１１及び凹部（穴）１２が形成されている。凸部１１と凹部１２は一対の開口縁部１０を互いに重ね合わせたときに互いに係合する位置に配置されている。さらに、開口縁部１０の左右側には開口部１３及び切欠き１４が、一対の開口縁部１０，１０を互いに重ね合わせたときに重なり合う位置に形成されている。一対のシューズ５はこれらの凸部１１、凹部１２、開口部１３、切欠き１４を含めて同一形状である。なお、左右対称形状であってもよい。
【００１６】
以上の構成からなるバスルームシューズ５，５は、図２に示すように、使用しないときには、一方のシューズ５の開口縁部１０を他方のシューズ５の開口縁部１０に重ね合わせる。このとき、凸部１１と凹部１２とが係合し、互いの開口縁部１０，１０が密着し、ずれることがない。これにて、足挿入口部７，７が閉止状態を保たれ、足挿入口部７，７から水が浸入したり、ナメクジやムカデなどの虫類が入り込むことが防止される。
【００１７】
また、一方のシューズ５の開口部１３に足の指を引っ掛けて開口縁部１０を他方のシューズ５の開口縁部１０に重ね合わすことで、屈んだりすることなく、楽な姿勢で開口縁部を重ね合わすことができる。履くときには、これとは逆の動作で、即ち、足の指で開口部１３を引っ掛けて上側のシューズ５を下側のシューズ５から外すことができる。
【００１８】
ところで、バスルームシューズ５，５は、図２に示すように、不使用時には重ね合わせられるため、収納時の床面積は１／２になり、省スペース化が図られる。特に、バスルームシューズ５，５は、重ね合わせたときに、一方のシューズ５の底面５ａと他方のシューズ５の底面５ｂとがほぼ平行になっている。それゆえ、図３に示すように、一組のシューズ５，５の上にさらに一組のシューズ５，５を積み重ねることができる。このように複数段に重ねて収納すれば、収納床面積は大きく省スペース化される。２足のシューズであっても収納床面積は半足分で済む。もちろんそれ以上の複数段に重ねることも可能である。また、このような収納形態では、シューズの底面どうしが向かい合うため、底面が足挿入口部に接することがなく、衛生的である。
【００１９】
（第２実施例、図４及び図５参照）
第２実施例である一対のバスルームシューズ１５Ａ，１５Ｂは、図４に示すように、プラスチック製で、図４（Ｂ）に示す平面視で左右同形状をなし、シューズ本体１６と足挿入口部１７とで構成されている。足挿入口部１７の開口縁部は互いに係合し合う係合部１８Ａ，１８Ｂが形成されている。即ち、シューズ１５Ａの係合部１８Ａは凸形状の縁部とされ、シューズ１５Ｂの係合部１８Ｂは係合部１８Ａが係合可能な凹形状とされている。
【００２０】
以上の構成からなるバスルームシューズ１５Ａ，１５Ｂは、図５に示すように、使用しないときには、一方のシューズ１５Ａの係合部１８Ａを他方のシューズ１５Ｂの係合部１８Ｂに重ね合わせる。このとき、互いの開口縁部が密着し、足挿入口部１７，１７が閉止状態を保たれ、足挿入口部１７，１７から水が浸入したり、ナメクジやムカデなどの虫類が入り込むことが防止される。また、収納床面積が少なくて済み、複数段に積み重ねることが可能である点は、前記第１実施例と同様である。
【００２１】
（第３実施例、図６及び図７参照）
第３実施例である一対の運動シューズ２５，２５は、図６に示すように、布製あるいは合成皮革製であって右足用、左足用に分かれており、シューズ本体２６と筒状の足挿入口部２７とで構成されている。足挿入口部２７の開口縁部には切欠き３１が４箇所に等間隔で形成されている。
【００２２】
以上の構成からなる運動シューズ２５，２５は、図７に示すように、使用しないときには、一方のシューズ２５の足挿入口部２７を他方のシューズ２５の足挿入口部２７に挿入する。それぞれの足挿入口部２７，２７は伸び縮み可能であるため、互いに密着して係合し、足挿入口部２７、２７が閉止状態を保たれる。これにて、足挿入口部２７，２７から水が浸入したり、ナメクジやムカデなどの虫類が入り込むことが防止される。
【００２３】
足挿入口部２７の開口縁部に形成した切欠き３１は、互いの足挿入口部２７，２７を係合させる際に、開口縁部を容易に拡径又は縮径させるためのものである。切欠き３１以外にも、スリット又は折込みなどであっても同様の効果を奏することができる。また、本第３実施例においても、収納床面積が少なくて済み、複数段に積み重ねることが可能である点は、前記第１実施例と同様である。
【００２４】
（他の実施例）
なお、本発明に係るシューズは、前記実施例に限定されるものではなく、その要旨の範囲内で種々に変更することができる。
【００２５】
特に、本発明は、バスルームシューズ、ガーデンシューズなどゆとりのあるルーズシューズに適しているが、それに限定するものではなく、運動シューズやカジュアルシューズなど幅広く適用することができる。第１実施例において、凸部１１や凹部１２の配置は任意であり、開口部１３は穴形状以外にフック形状や傘形状など足の指を引っ掛けることのできる形状であればよい。但し、開口部１３や切欠き１４は必ずしも必要ではない。また、第３実施例において、切欠き３１の配置は任意である。
【産業上の利用可能性】
【００２６】
以上のように、本発明は、バスルームシューズなどに有用であり、特に、水の浸入や虫類の入り込みを防止でき、収納時のスペースが小さくなる点で優れている。
【符号の説明】
【００２７】
５，１５Ａ，１５Ｂ，２５…シューズ
６，１６，２６…シューズ本体
７，１７，２７…足挿入口部
１１…凸部
１２…凹部
１３…開口部
３１…切欠き
１８Ａ，１８Ｂ…係合部
【図１】
2010158323.tif 000003
【図２】
2010158323.tif 000004
【図３】
2010158323.tif 000005
【図４】
2010158323.tif 000006
【図５】
2010158323.tif 000007
【図６】
2010158323.tif 000008
【図７】
2010158323.tif 000009